(57)【要約】【課題】有機発光ダイオードパネルに入力されるデジタルＲ、Ｇ、Ｂデータのレベルを分離調節して、共通したルックアップテーブルを使用しても外部からガンマを制御できる電界発光素子の駆動システム及び駆動方法を提供すること。【解決手段】電界発光素子の駆動システムは、Ｒ画素、Ｇ画素、及びＢ画素を含む複数の画素で構成された有機発光ダイオードパネル１６０と、第１デジタルデータを受信し、第１デジタルデータを階調表示用の第２デジタルデータに変換する制御部１４０と、第２デジタルデータをデータ電圧に変換し、データ電圧を各画素に印加し、Ｒ画素、Ｇ画素、及びＢ画素にそれぞれ異なるソース電圧を印加するレベルシフト部１３０とを含む。【選択図】  図１
2006189826.tif 000002
【特許請求の範囲】
【請求項１】
Ｒ画素、Ｇ画素、及びＢ画素を含む複数の画素で構成された有機発光ダイオードパネルと、
第１デジタルデータを受信し、前記第１デジタルデータを階調表示用の第２デジタルデータに変換する制御部と、
前記第２デジタルデータをデータ電圧に変換し、前記データ電圧を前記複数の画素の各々に印加し、前記複数の画素に含まれたＲ画素、Ｇ画素、及びＢ画素にはそれぞれ異なるソース電圧を印加するレベルシフト部と、
を含むことを特徴とする電界発光素子の駆動システム。
【請求項２】
前記制御部が、複数のインデックス値を保存する単一のルックアップテーブルを含むことを特徴とする請求項１に記載の電界発光素子の駆動システム。
【請求項３】
前記単一のルックアップテーブルが、Ｒデジタルデータ信号、Ｇデジタルデータ信号、及びＢデジタルデータ信号に共通して適用されることを特徴とする請求項２に記載の電界発光素子の駆動システム。
【請求項４】
前記Ｒデジタルデータ信号、Ｇデジタルデータ信号、及びＢデジタルデータ信号が、前記複数のインデックス値の各々に対応するビットストリームに変換されることを特徴とする請求項３に記載の電界発光素子の駆動システム。
【請求項５】
前記異なるソース電圧によりガンマ曲線が制御されることを特徴とする請求項１に記載の電界発光素子の駆動システム。
【請求項６】
前記各画素は、
駆動トランジスタと、
前記駆動トランジスタのドレイン端子に印加される異なるソース電圧と、
前記駆動トランジスタのゲート端子に印加されるデータ電圧と、
から構成されることを特徴とする請求項１に記載の電界発光素子の駆動システム。
【請求項７】
前記第１デジタルデータがＮ個のビットで構成され、前記第２デジタルデータが前記Ｎ個より大きいＭ個のビットで構成されることを特徴とする請求項１に記載の電界発光素子の駆動システム。
【請求項８】
前記複数の画素を順次オン状態にし、前記制御部から制御信号が供給されるスキャンドライバを更に含むことを特徴とする請求項７に記載の電界発光素子の駆動システム。
【請求項９】
前記スキャンドライバが、前記複数の画素を光の放出又は非放出のオン状態にすることを前記第２デジタルデータに対応して制御することを特徴とする請求項８に記載の電界発光素子の駆動システム。
【請求項１０】
前記制御部から受信される第２デジタルデータを保存するフレームメモリ部を更に含むことを特徴とする請求項１に記載の電界発光素子の駆動システム。
【請求項１１】
アナログデータを第１デジタルデータに変換する段階と、
前記第１デジタルデータを階調表示用の第２デジタルデータに変換する段階と、
前記第２デジタルデータに対応して複数の画素を順次オン状態にする段階と、
前記第２デジタルデータをデータ電圧に変換する段階と、
前記複数の画素に含まれたＲ画素、Ｇ画素、及びＢ画素に前記データ電圧を印加する段階と、
前記Ｒ画素、Ｇ画素、及びＢ画素にそれぞれ異なるソース電圧を印加する段階と、
を含むことを特徴とする電界発光素子の駆動方法。
【請求項１２】
前記第１デジタルデータを階調表示用の第２デジタルデータに変換する段階が、前記第１デジタルデータにルックアップテーブルを適用することを特徴とする請求項１１に記載の電界発光素子の駆動方法。
【請求項１３】
前記第１デジタルデータを階調表示用の第２デジタルデータに変換する段階が、前記第１デジタルデータのＲデジタルデータ、Ｇデジタルデータ、及びＢデジタルデータに単一のルックアップテーブルを適用することを特徴とする請求項１２に記載の電界発光素子の駆動方法。
【請求項１４】
前記異なるソース電圧を印加する段階は、
前記Ｒ画素に第１ソース電圧を印加する段階と、
前記Ｇ画素に第２ソース電圧を印加する段階と、
前記Ｂ画素に第３ソース電圧を印加する段階と、
を含むことを特徴とする請求項１１に記載の電界発光素子の駆動方法。
【請求項１５】
前記異なるソース電圧を印加する段階は、前記Ｒ画素、Ｇ画素、及びＢ画素のドレイン端子とゲート端子との間の電圧を制御する段階を更に含むことを特徴とする請求項１４に記載の電界発光素子の駆動方法。
【請求項１６】
前記第２デジタルデータをフレームメモリ部に保存する段階を更に含むことを特徴とする請求項１１に記載の電界発光素子の駆動方法。
【発明の詳細な説明】
【技術分野】
【０００１】
本発明は、電界発光素子に係り、特に、有機ＥＬパネルに入力されるデジタルＲ（Red）、Ｇ（Green）、Ｂ（Blue）データのレベルを分離調節して、同一のルックアップテーブル（ＬＵＴ；Look Up Table）を使用しても外部からガンマを制御できる有機電界発光素子の駆動システム及び駆動方法に関する。
【背景技術】
【０００２】
一般にフラットパネルディスプレイとしては、液晶表示素子、電界放出ディスプレイ、プラズマディスプレイパネル、及び電界発光素子などがある。
【０００３】
このうち、電界発光素子は、電子と正孔との再結合で蛍光体を発光させる自発光素子であって、蛍光体として無機化合物を使用する無機ＥＬと、蛍光体として有機化合物を使用する有機ＥＬとに分けられる。
【０００４】
このような電界発光素子は、他の表示装置とは異なり、低い駆動電圧（１０Ｖ）で駆動することができ、自発光を利用するため認識性に優れ、液晶表示素子とは異なり、バックライトが不要であるため超薄膜化が可能である。
【０００５】
また、電界発光素子は、液晶表示素子に比べて、広い視野角、速い応答速度などの利点を有し、次世代表示装置として期待されている。
【０００６】
また、有機電界発光素子は、通常、陰極と陽極の間に積層された電子注入層、電子輸送層、発光層、正孔輸送層、及び正孔注入層から構成される。このような有機電界発光素子においては、陰極と陽極の間に所定の電圧を印加した場合、陰極から発生した電子が電子注入層及び電子輸送層を介して発光層側に移動し、陽極から発生した正孔が正孔注入層及び正孔輸送層を介して発光層側に移動する。
【０００７】
これにより、発光層では、電子輸送層から供給された電子と正孔輸送層から供給された正孔とが再結合することによって光を放出する。
【０００８】
電界発光素子は、複数の画素がマトリックス状に配列された有機発光ダイオード（ＯＬＥＤ；Organic Light Emitting Diode）パネルを含む。有機発光ダイオードパネルは、制御部により制御されるスキャンドライバ及びデータドライバに接続される。
【０００９】
スキャンドライバは、画素をオン状態にするために動作し、データドライバは、オン状態の画素に駆動電圧を印加する。この際、画素は駆動電圧によって光を放出する。各画素は、Ｒ、Ｇ、Ｂのいずれか１つを表示する。
【００１０】
電界発光素子は、階調表示により画像を表示する。電界発光素子の各画素においては、フレーム毎に光の放出か又は非放出かを制御する。詳しくは、各フレームは、複数のサブフレームに分割され、画素ごとにデジタルデータ信号の各ビットに対応して各サブフレーム区間での発光／非発光が制御される。
【００１１】
例えば、１２ビットのデジタルデータ信号が供給される間、１つのフレームは１２個のサブフレームに分割される。１つのフレーム区間で各サブフレーム内の発光時間を調節することにより、所望の画像の階調を表現することができる。
【００１２】
階調表示の場合、デジタルデータは、ルックアップテーブルに基づく他のデジタルデータに変換される。このルックアップテーブルは、電界発光素子のスキャンドライバ及びデータドライバを駆動する制御部に保存される。デジタルデータ信号は制御部に入力される。制御部は、デジタルデータ信号を受信するマルチプレクサを備え、受信したデジタル信号をＲ信号、Ｇ信号、又はＢ信号に対応させるように決定する。また、制御部は、Ｒ信号、Ｇ信号、Ｂ信号にそれぞれ使用される３つの独立したルックアップテーブルを含む。
【００１３】
図６は、従来の有機電界発光素子において、Ｒ、Ｇ、Ｂカラーデータ信号に使用するためのルックアップテーブルを示している。
【００１４】
図６に示すように、ルックアップテーブルＬＵＴ−Ｒ、ＬＵＴ−Ｇ、ＬＵＴ−Ｂは、各デジタルデータ信号に対応する異なるインデックス値を有する。例えば、６ビットのデジタルデータ信号が「１１１１１０」の場合、ルックアップテーブルＬＵＴ-Ｒはインデックス値として「１１１１１１１１」を有し、ルックアップテーブルＬＵＴ-Ｇはインデックス値として「１０１１１１１１」を有し、ルックアップテーブルＬＵＴ-Ｂはインデックス値として「１１０１１１１１」を有する。
【００１５】
ルックアップテーブルＬＵＴ−Ｒ、ＬＵＴ−Ｇ、ＬＵＴ−Ｂは、デジタルデータ信号の値だけでなく、デジタルデータ信号のビット数を変換することができる。特に、６ビットのデジタルデータ信号が制御部に入力されて、ルックアップテーブルＬＵＴ−Ｒ、ＬＵＴ−Ｇ、ＬＵＴ−Ｂによりプロセシングされると、異なるビットストリームを備えた８ビットのデジタルデータ信号が、制御部から出力されて、データドライバに供給される。デジタルデータ信号のビット数は、ガンマ制御を行うために拡張され、所望の階調を表現する。
【００１６】
従来の電界発光素子は、カラー座標、ガンマ制御、及びコントラスト比を最適にするために、Ｒ信号、Ｇ信号、及びＢ信号に対してそれぞれ異なるルックアップテーブルＬＵＴ−Ｒ、ＬＵＴ−Ｇ、ＬＵＴ−Ｂを使用する。これにより、従来の有機電界発光素子におけるＲ画素、Ｇ画素、Ｂ画素などのカラー画素は、異なる効率を有することができる。Ｒ信号、Ｇ信号、及びＢ信号に対して異なるインデックス値を有する３つのルックアップテーブルＬＵＴ−Ｒ、ＬＵＴ−Ｇ、ＬＵＴ−Ｂは、それぞれＲ画素、Ｇ画素、及びＢ画素の差を補償するものである。
【００１７】
しかしながら、同一のソース電圧ＶＤＲを適用すると、Ｒ画素、Ｇ画素、及びＢ画素は所望の階調画像を表示することができない。同一のソース電圧ＶＤＲがＲ画素、Ｇ画素、及びＢ画素の駆動トランジスタに印加されると、Ｒ画素、Ｇ画素、及びＢ画素にそれぞれ異なるカラー反応が現れる。ソース電圧ＶＤＲ及びルックアップテーブルＬＵＴ−Ｒ、ＬＵＴ−Ｇ、ＬＵＴ−Ｂは、予め設定することができるが、電界発光素子の動作時には制御することはできない。
【００１８】
また、従来の電界発光素子は、周辺環境の明るさに関係なく、フルホワイトの明るさで画像を表現する。
【００１９】
前述したように、ソース電圧ＶＤＲが周辺環境に反応して変化することなく、Ｒ画素、Ｇ画素、Ｂ画素にそれぞれ同一に印加されるため、電力消耗が増加する。
従って、従来の電界発光素子には、前述したような問題を改善した駆動システム及び駆動方法が要求される。
【発明の開示】
【発明が解決しようとする課題】
【００２０】
本発明は、このような従来技術の問題を解決するためになされたもので、パネルに入力されるデジタルＲ、Ｇ、Ｂデータのレベルを分離調節して、これらデジタルデータに共通した同一のルックアップテーブルを使用しても外部からガンマを制御できる電界発光素子の駆動システム及び駆動方法を提供することを目的とする。
【課題を解決するための手段】
【００２１】
上記の目的を達成するために、本発明による電界発光素子の駆動システムは、Ｒ画素、Ｇ画素、及びＢ画素を含む複数の画素で構成された有機発光ダイオード（ＯＬＥＤ）パネルと、第１デジタルデータを受信し、第１デジタルデータを階調表示用の第２デジタルデータに変換する制御部と、第２デジタルデータをデータ電圧に変換し、データ電圧を各画素に印加し、Ｒ画素、Ｇ画素、及びＢ画素にそれぞれ異なるソース電圧を印加するレベルシフト部とを含むことを特徴とする。
【００２２】
また、本発明による電界発光素子の駆動方法は、アナログデータを第１デジタルデータに変換する段階と、第１デジタルデータを階調表示用の第２デジタルデータに変換する段階と、第２デジタルデータに対応して複数の画素を順次オン状態にする段階と、第２デジタルデータをデータ電圧に変換する段階と、Ｒ画素、Ｇ画素、及びＢ画素で構成された複数の画素にデータ電圧を印加する段階と、Ｒ画素、Ｇ画素、及びＢ画素に異なるソース電圧を印加する段階とを含むことを特徴とする。
【発明の効果】
【００２３】
本発明による電界発光素子の駆動システム及び駆動方法によれば、駆動トランジスタのゲート端子とドレイン端子との間の電圧がＲ画素、Ｇ画素、及びＢ画素それぞれに異なるように調節されるため、Ｒ画素、Ｇ画素、Ｂ画素の効率が異なっても、これらに共通した単一のルックアップテーブルを使用してガンマ曲線を調節することができる。
【００２４】
また、本発明による電界発光素子によれば、データ電圧の制御によってコントラスト比は低下しない。電界発光素子は、制御部に保存された単一のルックアップテーブルを使用することにより、外部からガンマ曲線を調節することができる。さらに、Ｒ画素、Ｇ画素、及びＢ画素は、独立して制御することができる。
【発明を実施するための最良の形態】
【００２５】
以下、本発明による電界発光素子の駆動システム及び駆動方法について添付の図面を参照して説明する。
【００２６】
図１は本発明の一実施形態による電界発光素子の概略的な構成を示したブロック図で、図２は本発明による電界発光素子における発光素子及び駆動回路を備えた単位画素を示す図で、図３は図１の有機電界発光素子のデジタル駆動のタイミング図で、図４は図１の有機電界発光素子に使用するための制御部の概略的な構成を示す図で、図５は図４の制御部に含まれるルックアップテーブルの一例を示す図である。
【００２７】
図１に示すように、本発明による電界発光素子１００は、有機発光ダイオードパネル（以下、「ＯＬＥＤパネル」という。）１６０を備える。ＯＬＥＤパネル１６０は複数の画素を含む。これらの画素は、Ｒ光、Ｇ光、又はＢ光を放出するＯＬＥＤを含み、Ｒカラー、Ｇカラー、又はＢカラーを表示する。
【００２８】
また、スキャンドライバ１５０及びレベルシフト部１３０は、ＯＬＥＤパネル１６０に接続されて、このＯＬＥＤパネル１６０を駆動させる。スキャンドライバ１５０は、各画素を順次オン状態にし、レベルシフト部１３０は、各画素にデータ電圧を印加する。この際、各画素は各データ電圧に対応する光を放出する。電界発光素子１００は制御部１４０を含む。アナログ／デジタル（Ａ／Ｄ）変換器１１０は、制御部１４０に接続されて、アナログデータをデジタルデータに変換する。デジタルデータは制御部１４０に供給される。
【００２９】
制御部１４０は、データをフレームメモリ部１２０及びスキャンドライバ１５０に供給する。フレームメモリ部１２０は、データを出力してラッチ１２５を通過させる。ラッチ１２５は、ＯＬＥＤパネル１６０の各行の画素数に対応するＲデータ、Ｇデータ、及びＢデータをラッチ範囲で受信する。このようにして、ラッチ１２５は、Ｒデータ、Ｇデータ、及びＢデータを出力してレベルシフト部１３０を同時に通過させる。レベルシフト部１３０は、Ｒデータ、Ｇデータ、及びＢデータをデータ電圧に変換して、ＯＬＥＤパネル１６０に出力する。レベルシフト部１３０は、後述するように、Ｒデータ、Ｇデータ、及びＢデータに応じてそれぞれ異なるソース電圧が印加されるように動作する。
【００３０】
電界発光素子１００は、制御部１４０に接続された光センサ（図示せず）を含む。光センサは、周辺環境の明るさのレベルを感知する。制御部１４０は、光センサからセンシング信号ＢＳを受信して、制御信号ＣＳをレベルシフト部１３０に供給する。
【００３１】
レベルシフト部１３０は、制御信号ＣＳによって、高いソース電圧又は低いソース電圧を印加する。
【００３２】
電界発光素子１００が明るい環境で動作するときは高いソース電圧が印加され、一方、暗い環境で動作するときは低いソース電圧が印加される。
【００３３】
図２は、図１の電界発光素子１００に使用するための単位画素１０１の構造を示す図である。
【００３４】
本発明による単位画素１０１は、ＯＬＥＤパネル１６０に含まれる。単位画素１０１は、データラインＤＬを経由してきたデータに適用するＲ光を放出する。他の実施形態として、単位画素１０１は、Ｇ光又はＢ光を放出することもできる。図２に示すように、単位画素１０１は、ＥＬ（電界発光）セル１０３及びセル駆動部１０５を含む。
【００３５】
また、セル駆動部１０５は、電源ラインＰＬと接続されるストレージキャパシタＣｓと、データラインＤＬとストレージキャパシタＣｓの間に接続されて発光スキャンラインＳＬｐにより制御されるスイッチ用の第１ＰＭＯＳトランジスタＴ１と、電源ラインＰＬとストレージキャパシタＣｓの間に接続されて非発光スキャンラインＳＬｅにより制御されるスイッチ用の第２ＰＭＯＳトランジスタＴ２と、電源ラインＶＤＤとＥＬセル１０３の間に接続されてストレージキャパシタＣｓにより制御される駆動用の第３ＰＭＯＳトランジスタＴ３とから構成される。
【００３６】
また、発光スキャンラインＳＬｐは、各サブフレームＳＦの発光時間ＬＴで、第１ＰＭＯＳトランジスタＴ１をターンオンさせるための書込信号、即ち、プログラム信号ＰＳを供給する。第１ＰＭＯＳトランジスタＴ１は、プログラム信号ＰＳによりターンオンしてストレージキャパシタＣｓにデータを保存させることにより、発光時間ＬＴの間に充電電圧によって第３ＰＭＯＳトランジスタＴ３をターンオンさせる。
【００３７】
一方、非発光スキャンラインＳＬｅは、各サブフレームＳＦの非発光時間ＵＴで、第２ＰＭＯＳトランジスタＴ２をターンオンさせるための消去信号ＥＳを供給する。第２ＰＭＯＳトランジスタＴ２は、消去信号ＥＳによりターンオンしてストレージキャパシタＣｓにデータを放出させることにより、非発光時間ＵＴの間に第３ＰＭＯＳトランジスタＴ３をターンオフさせる。
【００３８】
図３はデジタルデータ信号の階調を表現するための電界発光素子１００のデジタル駆動方法を示す図である。
【００３９】
各フレームは、デジタルデータ信号の各ビットに対応する複数のサブフレームＳＦに分割される。一例として、１２ビットのデジタルデータ信号は、２５６階調を表現し、１つのフレームは、１２ビットのデジタルデータ信号に対応する１２個のサブフレームＳＦ１〜ＳＦ１２に分割される。
【００４０】
ここで、１２個のサブフレームＳＦ１〜ＳＦ１２のうち、第１サブフレームＳＦ１はデジタルデータ信号の最下位ビットに対応し、第１２サブフレームＳＦ１２はデジタルデータ信号の最上位ビットに対応する。
【００４１】
１２個のサブフレームＳＦ１〜ＳＦ１２は、それぞれ発光時間ＬＴ１〜ＬＴ１２と、非発光時間ＵＴ１〜ＵＴ１２とに分けられる。ここで、各サブフレームＳＦ１〜ＳＦ１２の発光時間ＬＴ１〜ＬＴ１２は、１２ビットのデジタルデータ信号を２８（２５６）階調で表現するための「１：２：４：８：１６：３２．．．．」比率の２進コード、又は「１：２：４：６：１０：１４：１９．．．．」のような非２進コードなどを使用することができる。
【００４２】
各サブフレームＳＦ１〜ＳＦ１２の各区間で、電界発光素子１００は、全てのピクセルを垂直方向、例えば、ＥＬパネルの上部から下部方向に順次スキャンして発光する。これにより、各サブフレームＳＦ１〜ＳＦ１２の各区間の発光時間ＬＴ１〜ＬＴ１２は、図３に示すように、各サブフレームＳＦ１〜ＳＦ１２内の斜線部分のようになる。
【００４３】
このように、１つのフレーム区間で、各サブフレームＳＦ１〜ＳＦ１２内の発光時間ＬＴ１〜ＬＴ１２を調節することにより、所望の画像の階調を表現することができる。
【００４４】
ここでは、非２進コードを使用して図３に示すように所望の画像を表現する。分割されたサブフレーム区間で、電界発光素子１００は、互いに異なる時間にＶ−スキャン方向（垂直方向）に上側から下側に発光させ、各発光時間を調節することにより階調を表現する。
【００４５】
ソース電圧ＶＤＲは、電源ラインＶＤＤに印加される。また、ソース電圧ＶＤＲは、第３トランジスタＴ３に印加される。ソース電圧ＶＤＲは、周辺環境に依存する高電圧又は低電圧であり得る。周辺環境が高い明るさレベルを有すると、ソース電圧ＶＤＲに高電圧が印加され、周辺環境が低い明るさレベルを有すると、ソース電圧ＶＤＲに低電圧が印加される。単位画素１０１がＲ光、Ｇ光、及びＢ光のいずれを放出するかによって、異なるソース電圧値が印加される。
【００４６】
ソース電圧ＶＤＲは、第３トランジスタＴ３のドレイン端子に印加される。レベルシフト部１３０は、デジタルデータ信号を対応するデータ電圧に変換する。このデータ電圧は、第３トランジスタＴ３のゲート端子に印加される。異なるソース電圧がＲ画素、Ｇ画素、及びＢ画素に印加され、第３トランジスタＴ３のゲート端子とドレイン端子との間の電圧は、Ｒ画素、Ｇ画素、及びＢ画素でそれぞれ異なる。
【００４７】
結果的に、異なるソース電圧が印加されることによって、駆動トランジスタのゲート端子とドレイン端子との間の電圧が制御され、ガンマ曲線が制御される。
【００４８】
Ｒ画素、Ｇ画素、及びＢ画素に異なるソース電圧を印加することにより、ガンマ曲線を制御することができ、所望の階調を表現することができる。従って、Ｒデジタルデータ信号、Ｇデジタルデータ信号、及びＢデジタルデータ信号のそれぞれに対して異なるルックアップテーブルを必要とせず、Ｒデジタルデータ信号、Ｇデジタルデータ信号、及びＢデジタルデータ信号に対して共通した単一のルックアップテーブルが使用される。
【００４９】
図４は、本発明による電界発光素子の制御部１４０の構造を示す図である。
図４に示すように、制御部１４０は、単一のルックアップテーブル１１５と、スキャン制御部１４５とから構成される。単一のルックアップテーブル１１５は、Ｒデジタルデータ信号、Ｇデジタルデータ信号、及びＢデジタルデータ信号に共通して適用される。各デジタルデータ信号は、階調表示に適したビット数を有するデジタルデータ信号に変換される。スキャン制御部１４５は、デジタルデータ信号を受信してスキャンドライバ１５０に制御信号を供給する。スキャンドライバ１５０は、非発光時間には光を放出せず、発光時間に光を放出するように各画素を制御するように、データ書込信号及びデータ消去信号を供給する。
単一のルックアップテーブル１１５は、各デジタルデータ信号に対応する複数のインデックス値を含む。
【００５０】
図５はＲ信号、Ｇ信号、及びＢ信号に使用するためのルックアップテーブル１１５の一例を示す図である。
【００５１】
例えば、ルックアップテーブルＬＵＴ−Ｒ＝Ｇ＝Ｂを使用した場合には、「１１１１１０」のＲデジタルデータ信号、Ｇデジタルデータ信号、及びＢデジタルデータ信号を「１１１１１１１１」のデジタルデータ信号に変換する。この変換されたデータは、階調を表現する８ビットを有する。そして、この変換されたデータは、フレームメモリ部１２０及びレベルシフト部１３０に供給される。レベルシフト部１３０は、デジタルデータ信号、例えば、「１１１１１１１１」を対応するデータ電圧に変換してＯＬＥＤパネル１６０の画素に供給する。Ｒデータ、Ｇデータ、及びＢデータは、独立してプロセシングされて、レベルシフト部１３０から出力される。また、レベルシフト部１３０が、Ｒ画素、Ｇ画素、及びＢ画素に異なるソース電圧を印加して、第３トランジスタＴ３などの駆動トランジスタのゲート端子とドレイン端子との間の電圧は制御される。
【００５２】
駆動トランジスタのゲート端子とドレイン端子との間の電圧がＲ画素、Ｇ画素、及びＢ画素それぞれに異なるように調節されるため、Ｒ画素、Ｇ画素、Ｂ画素の効率が異なっても、共通した単一のルックアップテーブル１１５を使用してガンマ曲線を調節することができる。
【００５３】
データ電圧の制御によって、電界発光素子におけるコントラスト比は低下しない。電界発光素子は、制御部１４０に保存された単一のルックアップテーブル１１５を使用することにより、外部からガンマ曲線を調節することができる。また、この際、Ｒ画素、Ｇ画素、及びＢ画素は、それぞれ独立して制御することができる。
【図面の簡単な説明】
【００５４】
【図１】本発明の一実施形態による電界発光素子の概略的な構成を示すブロック図である。
【図２】本発明による電界発光素子における、発光素子及び駆動回路を備えた単位画素を示す図である。
【図３】図１に示した有機電界発光素子のデジタル駆動のタイミング図である。
【図４】図１に示した有機電界発光素子に使用するための制御部の概略的な構成を示す図である。
【図５】図４の制御部に含まれるルックアップテーブルの一例を示す図である。
【図６】従来の有機電界発光素子において、Ｒ、Ｇ、Ｂカラーデータ信号に使用するためのルックアップテーブルを示す。
【符号の説明】
【００５５】
１００  電界発光素子
１０１  単位画素
１０３  ＥＬセル
１１０  アナログ／デジタル変換器
１２０  フレームメモリ部
１２５  ラッチ
１３０  レベルシフト部
１４０  制御部
１５０  スキャンドライバ
１６０  有機発光ダイオードパネル
【図１】
2006189826.tif 000003
【図２】
2006189826.tif 000004
【図３】
2006189826.tif 000005
【図４】
2006189826.tif 000006
【図５】
2006189826.tif 000007
【図６】
2006189826.tif 000008